(57)【要約】      （修正有）【課題】長尺の支持杆先端に設けた鋏具を設ける高枝用鋏において、指詰めを防止するハンドル構造を提供する。【解決手段】支持杆の基端部に設けるハンドルは、断面略Ｕ字状の固定把持部１と、先端部が前記断面略Ｕ字状の固定把持部１の内側に挿入され、支持軸７によって固定把持部１と回動自在に軸支される可動把持部２とで構成し、支持軸７よりも基方で固定把持部１と可動把持部２を片手で握って手指による回動操作によって切断作業を行う。支持軸７の近傍であって、可動把持部２の側面を覆う固定把持部１の側壁９内面に、内方に突出する当たり部１０を形成する。当たり部１０を可動把持部２の側壁上端２ａに当接させることによって可動把持部２の回動域を規制し、可動把持部２と固定把持部１による指詰めを防止する。【選択図】図２
0003179734.tif 000002
【実用新案登録請求の範囲】
【請求項１】
断面略Ｕ字状の固定把持部と、先端部が前記断面略Ｕ字状の固定把持部の内側に挿入され、支持軸によって前記固定把持部と回動自在に軸支される可動把持部とで構成し、支持軸よりも基方で固定把持部と可動把持部を片手で握って手指による回動操作によって切断作業を行うハンドルにおいて、
支持軸の近傍であって、可動把持部の側面を覆う固定把持部の側壁内面に、内方に突出する当たり部を形成し、該当たり部を可動把持部の側壁上端に当接させることによって可動把持部の回動域を規制することを特徴とする高枝用鋏のハンドル構造。
【請求項２】
当たり部を形成する固定把持部の側壁は、支持軸と当たり部外方端までの寸法を半径とする円弧状部を形成し、該円弧状部によって当たり部に当接する可動把持部の側壁上端の回動範囲を覆うことを特徴とする請求項１記載の高枝用鋏のハンドル構造。
【考案の詳細な説明】
【技術分野】
【０００１】
本考案は、長尺の支持杆先端に設けた鋏具を操作するため、支持杆の基端部に配置するハンドルに関し、特に指詰めを防止するハンドル構造に係る考案である。
【背景技術】
【０００２】
図１に示すように、長尺の支持杆３の先端に固定刃４を固定するとともに、固定刃４に可動刃５を軸６で軸支し、長尺の支持杆３の基端部に固定した固定把持部１と固定把持部１に軸支した可動把持部２によって構成されるハンドルによって、可動刃５を回動操作して、固定刃４と可動刃５で高い位置の枝を切断する高枝用鋏が知られている。
この種高枝用鋏のハンドルは、固定把持部１と可動把持部２の双方もしくは一方の断面形状を略Ｕ字状とし、断面略Ｕ字状とした、例えば固定把持部１の内側に、可動把持部２の先端部を挿入し、支持軸７によって固定把持部１と可動把持部２を回動自在に軸支している。そして、支持軸７よりも基方で固定把持部と可動把持部を片手で握って手指による回動操作によって、可動把持部２を回動させる。可動把持部２には、先端を可動刃５に連結した操作杆８の基端部が連結されており、可動把持部２の回動操作によって、固定刃４と可動刃５による切断作業を行う。
【０００３】
片手で、固定把持部１と可動把持部２を握って開閉動作を行なう場合、手が滑って固定把持部１と可動把持部２の間に手指を詰める危険性があった。このような危険性を回避するために、特許文献１には、可動把持部に手指の滑脱を阻止する規制部、図面上手指の外側を覆うガードを設ける思想が開示されている。また、特許文献１には、可動把持部に打合部を形成し、打合部を固定把持部に打ち合わせる構造も開示されている。
【先行技術文献】
【特許文献】
【０００４】
【特許文献１】特開平８−８３号公報
【考案の概要】
【考案が解決しようとする課題】
【０００５】
特許文献１に開示されるように、把持部にガードを設けるものでは、ハンドルから手指が滑って脱落するのを防止することはできるが、握った手の指を固定把持部と可動把持部の間に詰めてしまうことを回避することはできない。また、特許文献１には、可動把持部に打合部を形成し、打合部を固定把持部に打ち合わせる構造も開示されている。このような構造では、固定把持部と可動把持部の間隔を保つことができるが、打合部そのものに手指を詰める危険性を回避することはできない。特に、硬い丈夫な枝を強い力で切断しようとする場合に、力を込めてハンドルを操作すると、衝撃的な力で指を詰める可能性があった。
【０００６】
上記従来技術の欠点に鑑み、本考案はハンドルの固定把持部１と可動把持部２の間隔を一定寸法を確保し、手指を挟み込む可能性が少ない、安全な指詰め防止構造を、外部から見えない簡単な構造によって実現することを目的とするものである。
【考案の開示】
【課題を解決するための手段】
【０００７】
上記目的を達成するためのハンドルは、断面略Ｕ字状の固定把持部１と、先端部が前記断面略Ｕ字状の固定把持部１の内側に挿入され、支持軸７によって固定把持部１と回動自在に軸支される可動把持部２とで構成し、支持軸７よりも基方で固定把持部１と可動把持部２を片手で握って手指による回動操作によって切断作業を行うものである。
上記ハンドルにおいて、本考案は、支持軸７の近傍であって、可動把持部２の側面を覆う固定把持部１の側壁９内面に、内方に突出する当たり部10を形成する。そして、当たり部10を可動把持部２の側壁上端2aに当接させることによって可動把持部２の回動域を規制する。すなわち、可動把持部２が固定把持部１へ極めて接近して指詰めすることを防止するものである。
【０００８】
請求項２記載の考案は、当たり部10を形成する固定把持部１の側壁９は、支持軸７と当たり部10の外方端10aまでの寸法を半径とする円弧状部11を形成し、この円弧状部11によって当たり部10に当接する可動把持部２の側壁上端2aの回動範囲を覆うことである。
【考案の効果】
【０００９】
請求項１記載の考案によれば、ハンドルを握って可動把持部２を固定把持部１に接近させたときに、把持の最終段階において可動把持部２の側壁上端2aが、固定把持部１の側壁９内面に形成した当たり部10に当接し、固定把持部１及び可動把持部２の握り部分が一定寸法以下に接近することを防止する。これにより、固定把持部１と可動把持部２の握り部分に手指を詰めるのを防止することができる。このとき、可動把持部２と固定把持部１は、固定把持部１の側壁９内面に形成した当たり部10と可動把持部２の側壁上端2aは、内部構造ともいうべき固定把持部１の側壁９内面で当接しているため、特許文献１における打合部のように、当接部分に手指を詰める可能性がない。
【００１０】
請求項２記載の考案によれば、この円弧状部11によって当たり部10に当接する可動把持部２の側壁上端2aの回動範囲を覆う。そのため、どのような使用形態においても、固定把持部１の当たり部10と、可動把持部２の側壁上端2aの当接部分に手指が引き込まれることがなく、より確実に指詰めを防止することができる。
【図面の簡単な説明】
【００１１】
【図１】図１は、高枝用鋏全体の概要図、
【図２】図２は、可動把持部を開いた状態のハンドルの縦断面図、
【図３】図３は、可動把持部を閉じた状態のハンドルの縦断面図、
【図４】図４は、固定把持部の底面図、
【図５】図５は、可動把持部の平面図、
【図６】図６は、固定把持部及び可動把持部の接近状態を示す断面図であって、図６（ａ）は図３のＡ−Ａ線断面図、、図６（ｂ）は図２のＢ−Ｂ線断面図である。
【考案を実施するための最良の形態】
【００１２】
以下、本考案に係る高枝用鋏のハンドル構造の実施形態を、添付の図面に基づいて説明する。
図１は、本考案を実施する高枝用鋏の一例を示す概略図、図２及び図３はハンドルのみの縦断面図であって、図２はハンドルを開いた状態、図３はハンドルを閉じた状態である。
【００１３】
図１に示す高枝用鋏は、長寸法の支持杆３の先端に固定刃４を固定し、この固定刃に対して切断作用を行う可動刃５を軸６で軸支している。支持杆３の基端部には、先端の可動刃５を操作するためのハンドルを設けている。
支持杆３の基端部に設けるハンドルは、下方に開放した断面略Ｕ字状の固定把持部１と、少なくとも先端部が、前記固定把持部１の内側（Ｕ字形状の内側）に挿入される可動把持部２で構成し、固定把持部１の先端部分を支持杆３の基端部に固定している。図示例の可動把持部２は、固定把持部１よりも狭い幅の略Ｕ字状としている。これにより、可動把持部２を固定把持部１の内側に配置し、可動把持部２の先端部分を支持軸７で固定把持部１に回動自在に軸支している。可動把持部２の先端は、可動刃５に連結された操作杆８の基端に連結し、可動把持部２の回動操作を可動刃５の開閉動作に連動させ、可動把持部２を閉じることによって支持杆３先端の固定刃４と可動刃５によって枝などを切断することができるようにしている。
【００１４】
支持軸７によって固定把持部１に軸支される可動把持部２は、バネ13によって常時開放方向に付勢し、バネ13の付勢力に抗して可動把持部２を開閉させることによって枝の切断作業を円滑に行う。可動把持部２には、ストッパ12を設け、可動刃５が妄りに開放されることがないようにしている。ストッパ12は、可動把持部２の表面に回動可能な操作片として配置し、操作片であるストッパ12の先端を固定把持部１の一部に係合させることによって、可動把持部２が開放されないように係止している。
【００１５】
固定把持部１には、支持軸７の近傍であって可動把持部２の側面を覆う固定把持部１の側壁９の内面に、内方に突出する当たり部10を形成している。この当たり部10は、図６に示すように固定把持部１の側壁９内面に、段部として形成したものである。図２に示す可動把持部２を開いた状態から閉じて行くと、図３に示すように可動把持部２の側壁上端2aが当たり部10に当接し、可動把持部２の閉じる方向への回動を阻止する。したがって、可動把持部２と固定把持部１の間に一定隙間を保持し、指詰めを防止することができる。
【００１６】
すなわち、上記当たり部10と可動把持部の側壁上端2aの当接部分は、断面略Ｕ字状の内奥部分であるため該部分に指を挟むこともない。当たり部10の具体的形状は、図２に示すように固定把持部1の側壁９の内面に、比較的広い方形の突出段部として形成しているが、当たり部10の大きさや形状は特に限定されるものではない。
固定把持部１の側壁９は、回動把持部２の先端部の側壁上縁2aが当接する当たり部10を形成することができる大きさであればよいが、図示実施形態では、固定把持部１の支持軸７と当たり部10の外方端10aまでの寸法Ｒを半径とする円弧状部11を形成し、この円弧状部11によって当たり部10に当接する可動把持部２の側壁上端2aの回動範囲を覆うようにしている。
【００１７】
上記、円弧状部11を形成することによって、当たり部10に当接する可動把持部２の側壁上端2aが回動操作の間に外部に露出しない。
すなわち、図６（ａ）に示すように、当たり部10に可動把持部2の側壁上端2aが当接した状態では当接部分の外側方が覆われるとともに、図６（ｂ）に示すように可動把持部２を開いた状態でも、可動把持部２の側壁上端2aの外側方は、側壁９によって覆われる。そのため、当たり部10に指を詰める可能性がない。
【００１８】
固定把持部１の当たり部10を設けない側壁、すなわち前記当たり部10を設ける側壁の反対側の側壁は、前記円弧状部に比較して側壁を小さく形成し、可動把持部２の先端部の側壁を露出させている。この、可動把持部２先端部の側壁外表面にストッパ12を配置し、小さく形成した固定把持部１の側壁下端縁に、ストッパ12を回動させることによってストッパ先端を係脱することができる係止部14を形成している。
【符号の説明】
【００１９】
１…固定把持部、  ２…可動把持部、  2a…側壁上端、  ３…支持杆、  ４…固定刃、  ５…可動刃、  ６…軸、  ７…支持軸、  ８…操作杆、  ９…側壁、  10…当たり部、  11…円弧状部、  12…ストッパ、  13…バネ、  14…係止部。
【図１】
0003179734.tif 000003
【図２】
0003179734.tif 000004
【図３】
0003179734.tif 000005
【図４】
0003179734.tif 000006
【図５】
0003179734.tif 000007
【図６】
0003179734.tif 000008